(57)【要約】【課題】本発明によれば、非常時において動作するために設置されている複数の照明器具を用いて、非常時に各照明器具の周囲の状況を遠隔から認識することができるとともに、非常時に動作する照明器具で不可欠な点検機能も同時に実現できる照明システムを提供する。【解決手段】  本実施形態によれば、誘導灯11おいて、各誘導灯11が自動的に一定時間非常用電源で点灯させる点検動作を行い、制御装置41が各誘導灯11の状態を監視して各誘導灯11毎に個別の履歴として記録し、制御装置41に記録された各誘導灯11毎に個別の履歴を監視装置7で確認できる照明システム8に加えて、前記システム8を用いて監視装置7の音声通信開始スイッチ71とインターホン部72によって任意の誘導灯11との間で音声通信が可能となる通話機能を設けることができるので、新たなシステムを構築することなく、監視装置7側から各誘導灯11の周囲の状況を音声通信を通じて認識することできる。【選択図】図１
2011034898.tif 000002
【特許請求の範囲】
【請求項１】
光源と、非常用電源と、非常時および点検時は非常用電源にて光源を点灯させる点灯ユニットと、外部と通信可能な通信部とを有し、点検指令を受信して点検動作し、点検結果を含む状態の情報を送信する複数の照明器具と；
各照明器具と通信し、予め設定されたスケジュールに基づき各照明器具に対して点検指令を与え、各照明器具の点検結果の情報を取得する制御装置と；
制御装置に取得された点検結果情報を取得することができるとともに、複数の照明器具のうちの任意の照明器具に対し、前記通信部又は他に設けられる通信手段を介して音声通信が可能となるように設定する音声通信開始手段を有する監視装置と；
を具備している照明システム。
【請求項２】
照明器具は、監視装置から送信された音声通信が受信される又は非常時を示す信号が受信されると照明器具から監視装置側に対しても音声通信が可能となるように音声信号出力手段が設けられていることを特徴とする請求項１記載の照明システム。
【発明の詳細な説明】
【技術分野】
【０００１】
本発明は、誘導灯や非常灯などの点検を要する複数の照明器具を用いた照明システムに関する。
【背景技術】
【０００２】
従来、誘導灯や非常灯など、通常時は商用電源によりランプを点灯させ、非常時には内蔵した二次電池である非常用電源に切り換えてランプを点灯させる防災用の照明器具が知られている。そして、このような防災用の照明器具において、例えば、避難システムとしては、建物内に配置された自火報受信機からの火災信号を受信して発火点に応じた点灯パターンを選択制御するセンター装置と、センター装置からの制御信号に基づいて避難誘導灯装置における表示を制御するシステムで構成されたものが知られている。
【０００３】
このような構成の避難システムにおいては、例えば火災検知機によって火災が検知すれば、自火報受信機により火災信号が送信される。その後、センター装置は火災信号を受信し、発火点とは逆方向に避難者を誘導させる点灯パターンを選択すると共に選択したパターン制御信号を各ユニットへと送信し、各ユニットはパターン制御信号に基づいて避難誘導灯装置の点灯や所定の音声出力の制御を行なう。これにより、避難誘導灯装置は火災発火点とは逆方向に矢指するように点灯したり、音声により避難方向を指示する等、避難者に対して非常口への避難誘導灯装置経路を認識させるようにしている（例えば、特許文献１参照。）。
【先行技術文献】
【特許文献】
【０００４】
【特許文献１】特開平９−３１９３１７号
【発明の概要】
【発明が解決しようとする課題】
【０００５】
しかしながら、従来の避難システムは、予め決められた点灯パターンや音声パターンを自動的に出力するだけのものであるので、当該避難システムを用いては各誘導灯が設置されているその場の状況については、正確に認識することができないものである。このことは、例えば各誘導灯が設置されている周囲に何らかの理由で避難が出来ない人が居たとしても、従来の避難システムで外部からの信号に基づいて固定的に動作する誘導灯が設置されているのみであるので、当該状態を認識することは出来ないものであった。
【０００６】
そして、上記のような状況を確認するためには、従来の避難システムとは別に監視システムを設ける必要があるが、別の監視システムを設置することは、施設を管理するためのコストが増大してしまうことになるので、簡単に導入することは出来ないものであった。
【０００７】
本発明は、上記に鑑みなされたものであり、非常時において動作するために設置されている複数の照明器具を用いて、非常時に各照明器具の周囲の状況を遠隔から認識することができるとともに、非常時に動作する照明器具で不可欠な点検機能も同時に実現できる照明システムを提供することを目的とする。
【課題を解決するための手段】
【０００８】
請求項１記載の照明システムは、光源と、非常用電源と、非常時および点検時は非常用電源にて光源を点灯させる点灯ユニットと、外部と通信可能な通信部とを有し、点検指令を受信して点検動作し、点検結果を含む状態の情報を送信する複数の照明器具と；各照明器具と通信し、予め設定されたスケジュールに基づき各照明器具に対して点検指令を与え、各照明器具の点検結果の情報を取得する制御装置と；制御装置に取得された点検結果情報を取得することができるとともに、複数の照明器具のうちの任意の照明器具に対し、前記通信部又は他に設けられる通信手段を介して音声通信が可能となるように設定する音声通信開始手段を有する監視装置と；を具備していることを特徴とする。
【０００９】
照明器具は、例えば、誘導灯、非常灯、非常用照明器具などである。光源は、例えば、蛍光ランプ、白熱電球、半導体発光素子である発光ダイオードや有機ＥＬなどのいずれでもよい。非常用電源は、例えば、充電可能な二次電池が用いられる。通常時とは商用電源などの通常電源が供給されているときであり、非常時とは通常電源の停電時などである。点灯ユニットは、通常電源と非常用電源とのいずれの電力でも光源を点灯でき、非常時および点検指令時に通常電源から非常用電源に切り換えて光源を点灯させる。通信部は、例えば、有線、無線などの通信手段を通じて通信可能とする。
【００１０】
制御装置は、複数の照明器具と互いに通信可能とし、各照明器具に対して予め設定され
【００１１】
たスケジュールに基づいた点検指令などを含む指令を与え、各照明器具の状態の情報など
【００１２】
を取得する。照明器具の状態の情報とは、例えば、光源の状態、非常用電源の状態、点灯
【００１３】
ユニットの状態、通信状態などがある。
【００１４】
監視装置は、例えば、制御装置から離れた場所である管理センター等に設けられるものであり、制御装置から各照明装置の情報を入手可能であって、少なくとも異常情報に関する情報を抽出することができるものであればよい。
【００１５】
また、監視装置は、制御装置と有線又は無線によって接続することが可能であるし、必ずしも制御装置と監視装置とが別体でなくてもよく、制御装置と監視装置とが一体となっているものでもよい。一体となっている場合には、各機能を発揮できる態様となっているものである。
【００１６】
本発明によれば、非常用の照明器具において、各照明器具が自動的に一定時間非常用電源で点灯させる点検動作を行い、制御装置が各照明器具の状態を監視して各照明器具毎に個別の履歴として記録し、制御装置に記録された各照明器具毎に個別の履歴を監視装置で表示する照明システムに加えて、前記システムを用いて監視装置の音声通信開始手段によって任意の照明器具との間で音声通信が可能となる通話機能を設けることができるので、新たなシステムを構築することなく、監視装置側から各照明器具の周囲の状況を音声通信を通じて認識することできる。
【００１７】
また、本発明における照明システムは、各照明器具毎にアドレス等の識別手段を付し、その識別手段を用いて制御装置及び監視装置で点検結を果管理するものであるため、監視装置からの音声通信によって照明器具から被災者の情報等が認識できた場合には、予め設定されている識別手段の情報から、当該照明器具が設置されている場所を特定することが容易となる。したがって、点検用の照明システムを用いることにより、音声通信で通信した場所の特定も出来ることになるので、各照明器具の周囲の状況を監視装置側で認識できる機能を有効に活用することができる。
【００１８】
なお、本発明において、上記点検時に使用する通信部と通話機能で用いる通信線が共用できることが好適である。これによると、新たな信号線の配線が不要となるので、施工性を損ねることなく、通話機能を盛込むことができる。
【００１９】
請求項２記載の照明システムは、請求項１記載の照明システムにおいて、照明器具は、監視装置から送信された音声通信が受信又は非常時を示す信号が受信されると、照明器具から監視装置側に対しても音声通信が可能となるように音声信号出力手段が設けられていることを特徴とする。
【００２０】
非常時を示す信号とは、煙感知器等からの火災信号や非常放送など信号であって、非常時に外部から照明器具に送信される信号を示すものである。
【００２１】
また、非常時を示す信号が監視装置側に受信された場合には、監視装置側でも自動的に音声通信開始手段が機能するように設けることができる。
【００２２】
なお、非常時を示す信号が非常放送である場合には、非常放送を優先させるために、非常放送時には通話機能が一時的に停止する機能を設けることもできる。
【００２３】
本発明に係る技術の照明器具は、非常時に確実に動作させるため、一般人に容易に触れられないように設置されていることが通常である。そこで、本発明においては、照明器具側から監視装置側への音声通信は、監視装置側からの音声通信が受信される又は火災発生を示す火災信号を受信して始めて機能するようにしているものである。これにより、不用意に照明器具に一般人が触れることを避けることができるので、最も重要である非常時の点灯の信頼性を低下させないようにしているものであるし、非常時における防災機能を効果的に向上することができる。
【発明の効果】
【００２４】
請求項１記載の照明システムによれば、制御装置に記録された各照明器具毎に個別の履歴を監視装置で表示する照明システムに加えて、前記システムを用いて監視装置の音声通信開始手段によって任意の照明器具との間で音声通信が可能となる通話機能を設けることができるので、監視装置側から各照明器具の周囲の状況を音声通信を通じて認識することできる。
【００２５】
また、点検用の照明システムを用いることにより、音声通信で通信した場所の特定も出来ることになるので、何処の照明器具の周囲でどのような状況になっているかを監視装置側で認識できる機能を容易に実現することができる。
【００２６】
請求項２記載の照明システムによれば、必要時にのみ照明器具側からの通信機能が可能となることにより、一般人が容易に照明器具に触れることを避けることに繋がり、照明器具の非常時の点灯の信頼性を低下させないようにしている。
【図面の簡単な説明】
【００２７】
【図１】本実施形態の照明器具と制御装置との関係を示す説明図
【図２】本実施形態の照明器具の説明図
【発明を実施するための形態】
【００２８】
本発明の一実施形態を図面を参照して説明する。図１は本実施形態の照明器具と制御装置との関係を示す説明図、図２は本実施形態の照明器具の説明図である。
【００２９】
図１において、8は誘導灯点検システムで、この誘導灯点検システム8は、屋内施設内に設けられているものであって、制御装置41と、複数の非常用の照明器具である誘導灯１１と、これら制御装置41と誘導灯11とを接続する通信手段12とを備えている。
【００３０】
そして、誘導灯11は、天井面あるいは壁面などに取りけられるもので、四角状の器具本体14の少なくとも正面側に、透光性を有する表示板15が配置され、器具本体14に収納した半導体発光素子を光源として用いたランプＬを点灯装置(点灯ユニット)20で点灯するようになっている。
【００３１】
点灯ユニット20は、通常用、非常用兼用ユニットであり、電源線26を介して通常電源としての例えば商用交流１００Ｖに接続されているとともに、非常用電源としての二次電池24に接続され、これら通常電源あるいは二次電池24の電力で光源Ｌを点灯させる。すなわち、基本的には通常時に、電源線26を介して供給される通常電源の電力で、光源Ｌを常時点灯させるとともに、二次電池24を充電し、通常電源の停電を検出すると、二次電池24の電力で光源Ｌを点灯させるように構成されている。また、点灯ユニット20は、通信手段12を構成する２芯の通信線に接続される通信部27を通じて制御装置41と通信可能としている。また、点灯ユニット20には、手動操作で点検モードに移行させる押しボタンスイッチなどの誘導灯側操作部37、光源Ｌの異常時および二次電池24の異常時などに点灯して状態を報知する発光ダイオード素子などの誘導灯側表示部35，36が接続されている。さらに、後述する監視装置７からの音声通信信号を受信又は図示しない火災信号を受信すると監視装置７との間で通話が可能となるインターホン部38が設けられている。
【００３２】
そして、点灯ユニット20は、図示していないが、通常電源または二次電源24の電力で光源Ｌを点灯させる点灯回路、通常電源の停電を検出する停電検出部、点灯回路を制御したり通信部27を通じて制御装置41と通信する制御部、誘導灯11の固有のアドレスや誘導灯11の状態などを記憶する誘導灯側記憶部、および外部からのリモコン操作によるアドレスなどの設定や点検を可能とするリモコン受信部などを備えている。制御部は、制御装置41から点検指令を受信して自動的に点検モードによる点検動作し、点検結果を含む誘導灯11の状態を送信する機能を有している。
【００３３】
また、制御手段41は、いわば誘導灯自動点検制御装置であり、壁面に取り付けられる金属製などの筐体44を備え、この筐体44の内側に、制御表示ユニットである制御装置本体45、交流１００Ｖの電源46に接続されるブレーカ47、及び電池48などを備えている。さらに、制御装置41は、通信手段12の通信線に接続され常時電送のための信号が送受信される通信端子台51、火災報知設備43が接続される接点入力端子台52、サーバ60と接続するためのＬＡＮ端子台53などを備えている。また、制御装置本体45は、表示部55と、操作部56とを備えている。そして、表示部55には、例えば、発光ダイオードの表示装置に各誘導灯11のアドレス及び状態が表示され、操作部56は、押しボタン式のスイッチで、誘導灯11の選択及び選択した誘導灯11への操作が可能になっている。
【００３４】
そして、この制御手段41は、通信手段12を介して接続された誘導灯11について、常時異常の監視を行うとともに、プログラムされたスケジュールに従い、あるいは手動操作により、各誘導灯11を自動的に順番に週間点検、定期点検などの点検を行い、履歴情報を記録するとともに、異常があれば表示部55に表示する。すなわち、この制御手段41は、各誘導灯11について、ランプＬの寿命、不点灯、電池24の異常、点灯回路の異常、及び通信手段の異常を監視する常時監視と、２〜６週間の間隔で設定される週間点検と、３〜１２ヶ月の間隔で設定される法定の定期点検とを行い、ランプＬの異常、ランプＬの寿命、電池24の異常、電池24の寿命、その他の点灯回路などの器具の異常、及び通信異常などを監視し、各誘導灯11毎に履歴情報を記録する。また、監視装置7と接続されているので、監視装置7へ各点検結果や履歴情報を任意に又は定期的に配信可能となっている。
【００３５】
監視装置7は、制御手段41とは異なる場所である屋内施設内の管理ルームに設置されているものである。そして、監視装置7には、各誘導灯11との音声通信が可能となるように音声開始手段である音声開始スイッチ71が設けられており、音声開始スイッチ71を押した後又は押しながら監視装置側の作業者からの音声を受信するとともに、誘導灯11側からの送信された音情報を聞くことができるインターホン部72が設けられている。また、監視装置７には、図示しないが表示手段である液晶ディスプレイなどの表示部を備えており、どのアドレスの誘導灯11に対して音声通信を開始させるかが設定できるようになっている。なお、音声通信を開始させる誘導灯11の選択は、最小個数である１台から複数台までを任意に選択可能となっている機能を有していてもよい。この機能を有すると、複数のエリアの情報が一括で入手可能にすることもできるので、利便性を高めることができる。
【００３６】
また、監視装置7は、制御装置41に取得された情報に基づいて、複数の誘導灯11の現在状態をネットワーク9を介して取得可能となっている。そして、監視装置7では現在状態一覧、複数の誘導灯11の点検結果を一覧表示する点検結果一覧としての点検実施日一覧等の各種一覧表示機能を有するが、加えて、法定の定期点検等の各種点検において何かしらの異常があった誘導灯11の点検結果を一覧表示する機能を備えている。
【００３７】
次に、照明システム8の動作を説明する。制御装置41の指令により、各誘導灯11の動作モードが通常モードと点検モードとに切り換えられる。誘導灯11が通常モードの場合、通常電源が正常な状態では、点灯ユニット20は通常電源の電力で光源Ｌを点灯させるとともに二次電池24を充電させ、また、通常電源が停電したときには、点灯ユニット20は二次電池24の電力で光源Ｌを点灯させる。
【００３８】
制御装置41は予め設定されたスケジュールに従って点検指令を該当の誘導灯11に送信し、この点検指令を受信した誘導灯11が通常モードから点検モードに移行する。この点
【００３９】
検モードに移行した誘導灯11は、規定の時間だけ、正常な通常電源から点灯ユニット20
【００４０】
を切り離し、二次電池24の電力で光源Ｌをいわば非常点灯させ、二次電池24の寿命判定や点灯ユニット20の動作を確認する。確認した点検結果は誘導灯11から制御装置41に送信し、この制御装置41では誘導灯11毎に個別の履歴として記録する。なお、規定の時間は、週間点検では、１分間など短時間の非常点灯で、光源23の異常および寿命、二次電池24の異常および寿命、点灯ユニット20の異常を監視する。また、定期点検では、２０分あるいは６０分などの定格時間だけ非常点灯を行い、二次電池24の放電による電池容量を確認する。そして、誘導灯11では、点検モードの完了後に通常モードに復帰する。
【００４１】
なお、誘導灯11は、誘導灯側操作部37を直接操作することにより、単独でも点検モードに移行可能であり、また、点検の結果を制御装置41に送信したり誘導灯側表示部29，30に表示することができる。
【００４２】
そして、監視装置7では、制御装置41に記憶されている誘導灯11毎の個別の履歴デー
【００４３】
タをネットワーク9を介して取得し、この履歴データを、自動点検統括表示、現在状態一覧、点検実施日一覧、点検予定日一覧、器具種別一覧、点検結果異常一覧などの各項目毎に振り分けて確認することができる。
【００４４】
ここで、音声通信機能について説明する。例えば、建物内の所定の位置（例えば天井）に複数個分散して取り付けられている火災検知器に接続されている火災報知器から火災信号を管理センターの監視装置7で受信したとする。管理センターの監視装置7は、どの場所の火災検知器が反応したかが把握できるようになっているので、当該情報と誘導灯11の設置時に振り分けたアドレスとを照合することで、火災発生領域及び避難経路に設置されている誘導灯11を確認することできる。そして、例えば現在、周囲の状況を確認したい誘導灯11が４台あった場合には、監視装置7ではアドレスを４件指定し、その後音声開始スイッチ71を押し、インターホン部72に向かって音声を発すると、指定した４台の誘導灯11に対して、ネットワーク9及び通信部12を介して音声通信が開始され、当該音声が各誘導灯11のインターホン部38から発せられる。
【００４５】
監視装置7からの音声通信を受信すると、誘導灯11は、前記インターホン部38から発せられることに加え、当該誘導灯11のインターホン部38から監視装置7へ音声通信が可能となる。また、監視装置7からの音声通信を受信しなくても非常時を示す火災信号が発生したことを誘導灯11で認識できるようにしておくことで、誘導灯11のインターホン部38から監視装置7へ音声通信が可能となるようになっている。
【００４６】
そこで、監視装置7から例えば「逃げ遅れた避難者は居ませんか。居る場合には、この誘導灯に向かって応答をお願いします。」等の音声通信が開始されると、指定された誘導灯11のインターホン部38から当該音声が発せられるので、誘導灯11の付近に怪我をした被災者等が居た場合に「１名負傷により避難できません」等の応答が可能となる。これにより、各誘導灯11の周囲の状況を監視装置7側で的確に把握することができることになり、被災者の的確な情報や火災の状況等をタイムリーに認識することができる。
【００４７】
また、音声通信の別の用途としては、照明システム8における誘導灯11の新規設定時に監視装置7と誘導灯11との音声通信を可能としておくことにより、どの誘導灯11に何番のアドレスを設定したか等の情報のやり取りを管理センターの管理者と行なえるし、何らかの不具合情報も監視装置7が設置されている管理センターの管理者と誘導灯11の設置者とで情報のやり取りを行なうことができる。また、加えて、定期点検時にも音声通信を可能としておくことが有効な場合もある。これは、誘導灯11は二次電池24の点検の他、外観検査等、直接誘導灯11の設置場所に行かなくては確認することができない点検項目もあるが、これらの確認結果を管理センターの管理者にタイムリーに流すことで、点検結果を管理センターで即座に把握することが可能となる。
【００４８】
本実施形態によれば、誘導灯11おいて、各誘導灯11が自動的に一定時間非常用電源で点灯させる点検動作を行い、制御装置41が各誘導灯11の状態を監視して各誘導灯11毎に個別の履歴として記録し、制御装置41に記録された各誘導灯11毎に個別の履歴を監視装置7で確認できる照明システム8に加えて、前記システム8を用いて監視装置7の音声通信開始スイッチ71とインターホン部72によって任意の誘導灯11との間で音声通信が可能となる通話機能を設けることができるので、新たなシステムを構築することなく、監視装置7側から各誘導灯11の周囲の状況を音声通信を通じて認識することできる。
【００４９】
また、照明システム8は、各誘導灯11毎にアドレスを付し、そのアドレスを用いて制御装置41及び監視装置7で点検結果を管理するものであるため、監視装置7からの音声通信によって誘導灯11から被災者の情報等が認識できた場合には、予め設定されているアドレスの情報から、当該誘導灯11が設置されている場所を特定することが容易となる。したがって、点検用の照明システム8を用いることにより、音声通信で通信した場所の特定も出来ることになるので、各誘導灯11の周囲の状況を監視装置7側で認識できる機能を有効に活用することができる。
【００５０】
また、本実施形態では、誘導灯11側から監視装置7側への音声通信は、監視装置7側からの音声通信が受信される又は火災発生を示す火災信号を受信して始めて機能するようにしているものであるので、火災時や避難時以外には、不用意に誘導灯11を一般人が触れないようにしている。これは、誘導灯11側のインターホン部38は常に音声通信可能にすることもできるが、誘導灯11の本来の機能は、非常時に点灯をしておくことによる避難方向の指示等である。しかしながら、通常時に誘導灯11に対する知識が十分で無い一般人が触れる機会を多く設けてしまうと、何らかの操作ミスにより、当該機能を損ねてしまう虞がある。そこで、誘導灯11側からの音声通信は、特定の場合に限定することにより、誘導灯11の非常時の点灯の信頼性を低下させないようにしているものである。
【００５１】
なお、本実施形態において制御装置41と監視装置7とは別体としたが、これらが一体となっているものでもよい。
【符号の説明】
【００５２】
7・・・監視装置、8…照明システム、11・・・照明器具である誘導灯、38…インターホン部、41・・・制御装置、71…音声開始スイッチ、72…インターホン部
【図１】
2011034898.tif 000003
【図２】
2011034898.tif 000004